(57)【特許請求の範囲】
【請求項１】
掛軸の前面を覆う、複数枚重ねた構造を有する保護シートの上部一辺に掛軸の八双に対向する桟を設け、前記桟に掛緒を取り付けて、前記保護シートを容易に着脱可能にし、垂直状態にある前記掛軸の書画作品の前面に配置し、前記保護シートを挟み込みながら巻き解きを行なうことを特徴とする掛軸用着脱式保護シート。
【請求項２】
前記掛緒は、導電性素材を有することを特徴とする請求項１に記載の掛軸用着脱式保護シート。
【発明の詳細な説明】
【技術分野】
【０００１】  本発明は、掛軸を床の間や美術館の展示ケースに掛けた垂直状態のままで、保護シートの着脱を可能にした掛軸用保護シートに関する。
【背景技術】
【０００２】  従来の掛軸を保護するための処置法は、掛軸の表裏両面共に透明のフィルムシートで密封コート処理をして、風化、埃、湿潤や乾燥を繰り返すことによる掛軸の変形や虫食いなどによる損傷を保護する。（例えば、特許文献１参照）。もしくは掛軸、書画作品を含む全面にフッ素系樹脂などの樹脂類を含浸させ樹脂製膜を形成させて、埃や塵、水滴、油滴、煙草のヤニなどの損傷から掛軸に予防処置を施す防汚掛軸がある。（例えば、特許文献２参照）。また本発明と形状が類似している、挟み込み式掛軸がある。挟み込み式掛軸は書画作品の取り替えを目的とし、取り替えを可能にするために、台となるシートと透明シート間に書画作品を挟み込む構造で、透明シートをめくり書画作品を取り外すことができる簡易掛軸がある（例えば、特許文献３参照）。【０００３】  以下、掛軸（図１点線部参照）の構造を説明する。掛軸の断面形状（図３参照）を見ると掛軸左右両端は３ミリ程、内側に折り返し分を耳折と言い、耳折は裂の切断面のほつれを防ぐ処置方法である。この耳折により、掛軸を巻き上げると書画作品面と掛軸裏面との間に空間が形成されることから、書画作品を中空に保持するスペーサーになり、また空気の流入を防ぐパッキン材の役割も果たす。この掛軸の特徴的な構造により、保存や保管に優れた保存形態あることが、近年見直されてきた。【０００４】  この耳折の折り返し分の厚みにより書画作品を中空に保持するという特徴が掛軸の長所であり、また欠点にもなる。この長所が最大限に生かされるのは、掛軸が新しいうちや修理直後の凹凸状の変形のない平らなときである。【０００５】  しかし展示や鑑賞を繰り返しているうちに湿潤や乾燥の影響をうけ変形してくる。また掛軸を強く握る、巻緒を強く結び止めるなど不適切な取り扱いのため、凹みが生じ折れやシワが発生する。変形した状況下で巻き解きを繰り返すことで、書画作品面と掛軸裏面が接触し、擦れが生じて書画作品を損傷させる。【０００６】  現在、掛軸のままの書画作品に行われている直接的な保護処置として、書画作品断片の剥落防止処置などの応急処置を要するものは小麦澱粉糊、海苔糊、膠などの永年使いつがれ安全性の検証の済んだ、伝統素材を使用して応急処置は行われている。書画作品の損傷状況の軽微のものや、本格修理を待つまでの処置として、保護シートを随時挟み込むことも行われている。
【先行技術文献】
【特許文献】
【０００７】
【特許文献１】特開２００２−４１７号公報
【特許文献２】特開平１０−７５８５９号公報
【特許文献３】特開平８−３３５４５号公報
【発明の概要】
【発明が解決しようとする課題】
【０００８】  以上に述べた従来の掛軸を保護するための処置法は、透明のフィルムシートで密封コート処理するもので、掛軸や書画作品面の質感が、透明のフィルムシート越しでは不鮮明になり、書画作品本来の光沢感が変化するため鑑賞に好ましくない。またフッ素系樹脂など樹脂類を含浸させて、掛軸や書画作品に撥水機能を付加する処置は、再修理時に水の使用が困難なことが予想される。また樹脂の経年変化、変質が懸念されるため文化財としての価値を有する書画作品には適していない。【０００９】  その為現在、掛軸、書画作品の折れ、シワ、擦れなど損傷状況に合わせて、保護処置として保護シートを随時、挟み込むことが行われている。また太巻添え軸と言う、掛軸の軸に太巻添え軸を挟み込むように装着し、掛軸の軸を見掛け上、太くして巻き上げ折れ難いようにする保護処置がある。【００１０】  保護シートの装着、或いは取り外しは、掛軸を水平状態にしての作業が必要不可欠である。湿潤や乾燥の影響を受けた掛軸は、波うち凹凸状に変形したものが多い。凹凸状に変形した掛軸に保護シートを装着するには、両端を２人で持ちながら巻き上げても、掛軸の自重で保護シートは潰れてシワはでき易い。シワはそれ自体が突起物であり擦れの原因となるため、保護シートをシワ無く平らに設置しなければならないが、設置は難しい。【００１１】  水平状態にしての保護シートの装着、或いは取り外し、着脱は、掛軸を作業台の上に広げてその周りで、作業者が安全に動けるスペースが必要となる。また保護シートの着脱を安全に行うには、２人で保護シートの両端を持ちながら行う必要であり、複数の作業者の手配が必要になる。作業台の設置や作業スペースの確保など解決する問題は多いうえ掛軸のサイズが大きいものになると更に、困難度は増すことになる。【００１２】  また畳の上や床に掛軸を広げる場合は、汚れ、湿潤や乾燥などの作業環境を事前に考慮せねばならず、水平状態にしての保護シートの着脱は多くの課題を有していた。【００１３】  本発明は、このような従来の課題を解決するものであり、現在一般的に行われている水平状態にしての保護シートの着脱に伴う問題を、掛軸が掛けてあるその場所で垂直状態のままで、着脱できることを目的とするものである。
【課題を解決するための手段】【課題を解決するための手段】
【００１４】
本発明は、上記課題を達成する為、掛軸の前面を覆う、複数枚重ねた構造を有する保護シートの上部一辺に掛軸の八双に対向する桟を設け、桟に掛緒を取り付けて、保護シートを容易に着脱可能にし、垂直状態にある掛軸の書画作品の前面に配置し、保護シートを挟み込みながら巻き解きを行なうことを特徴とする保護シートである。【００１６】  また、第２の解決手段は、掛緒は導電性素材を有することを特徴とするものである。【００１７】  上記第１の課題解決手段による作用は次の通りである。保護シートに桟を設け、掛緒を取り付けることで、掛軸と同じ吊り下げができる構造になり、保護シートの掛緒を掛軸の掛緒と同じ金具に吊り下げることで、水平状態にして行っていた保護シートの着脱は、垂直状態のままできるようになった。保護シートを装着する場合、垂直状態にある保護シートと掛軸は、重力により均一な力で下方に引かれているため自然に下がり、保護シートの位置合わせは吊り下げ構造により、掛軸の中心と保護シートの中心の位置合わせが容易にでき、巻き上げ時にシワになり難く設置が正確にできる。【００１８】  また垂直状態にある掛軸は、重力により均一な力で下方に引かれているため、湿潤や乾燥の影響を受けて変形していた掛軸の、波うち凹凸状態は水平状態にしての作業に比べ、緩和される方向にある。まず掛軸の軸首を持ち巻き上げ始める、次に重力により均一な力で常に下方に引かれて掛軸は自然に下がっている、保護シートを挟み込みながら巻き上げると、保護シートは巻き込まれ、掛軸両端の耳折の折り返し分により形成された空間に固定される。そして掛軸の巻緒で巻き止めて保存箱に収納する。【００１９】  展示や鑑賞のたびに巻き解きが繰り返され、書画作品面と掛軸裏面が接触しても、擦れなどの損傷から、保護シートにより保護することができる。【００２０】  保護シートの取り外しは、掛軸の掛緒と保護シートの掛緒を同じ吊り金具に掛けた後、共に解いて展開すると掛軸と保護シートは、重力により自然に下る。次に、保護シートに付属している紙管に巻き上げた後、保存箱に収納する。【００２１】また、上記第１の課題解決手段による作用は次の通りである。保護シートは複数枚であっても、全て同一の桟に取り付けるため保護シートは、一枚のものとして同様の取扱いができる。保護シートを１枚で使用するより、厚さの異なる種類の保護シートを複数枚挟みこむことで、耳折の折り返し分の厚さに合わせ、耳折により形成された空間を解消する。【００２２】  耳折の空間を解消する事により巻き上げた状態の掛軸を強く握る、巻緒を強く結び止めるなど、不適切な取り扱いによる凹みの緩和及び防止することができる。また保護シートを複数枚重ねることで得られるもう一つの効果として、保護シート同士の間に空気を、挟み込むために、クッション性が向上する。また保護シート同士の間の摩擦が減少し擦れなどの損傷防止により効果的である。【００２３】また、上記第２の課題解決手段による作用は次の通りである。掛軸を巻き解きするとき作業環境の乾燥状況により、静電気が発生することがある。特に作業者や巻き解きをする掛軸に静電気が帯電すると、周囲の埃の吸着、脆弱な書画作品の断片のうきあがりや、絵具断片の浮き上がり、保護シートの張り付きなどの不測の事態が懸念される。不測の事態に備えて、保護シートの掛緒を導電性素材にすることにより、吊り金具に掛けることで保護シートや掛軸、作業者に帯電していた静電気を放電させることができる。
【発明の効果】
【００２４】  上述したように本発明の掛軸用着脱式保護シートは、今まで保護シートの着脱するために掛軸を水平状態にして行うことが必要不可欠であった着脱を、保護シートに桟と掛緒を取り付けることで、吊り下げができる構造になった。掛軸は垂直状態のままで保護シートを挟み込ながら巻き解きを行なうことが可能になり着脱が容易にできる。垂直状態のままで行なう保護シートの装着は、重力により均等に下に引かれているため、シワになり難く吊り下げ構造により、掛軸の中心と保護シートの中心の位置合わせが容易で、設置が正確にできる特徴をもつ。書画作品面と掛軸裏面との接触による擦れなどの損傷から保護することができる掛軸用着脱式保護シートを提供する。【００２５】  更に、保護シートを複数枚重ねることで耳折の折り返し分により形成された空間を解消し、掛軸を強く握る、巻緒を強く結び止めるなど、不適切な取り扱いによる凹みなどの緩和及び防止に有効である。保護シートを複数枚重ねたものは、保護シート同士の間に空気を挟み込むためクッション性が向上する。また保護シート同士の間の空気層のため摩擦が減少し擦れなどの損傷防止により効果的な掛軸用着脱式保護シートを提供できる。【００２６】  静電気による不測の事態に備え、掛緒は導電性素材を有するものにすることで掛軸、保護シート、作業者に帯電していた静電気を、吊り金具に掛けることで放電させることができる。【００２７】  本発明の掛軸用着脱式保護シートは損傷の進行した掛軸だけに対応しているのではなく、表具の新しい変形のない平らな状態の掛軸に使用することもでき、巻き解きによる擦れや掛軸を強く握る、巻緒を強く結び止めるなど、不適切な取扱いによる損傷を予防することができる。
【図面の簡単な説明】
【００２８】
【図１】  本発明の実施の形態の一例を示す掛軸用着脱式保護シートの外観図
【図２】  本発明の実施の形態の一例を示す掛軸用着脱式保護シートの単体の外観図
【図３】  本発明の実施の形態を示す掛軸用着脱式保護シートの図１のＡ−Ａ線断面図
【図４】  （ａ）本発明の実施の形態を示す掛軸用着脱式保護シートの側面図  （ｂ）本発明の実施の形態を示す掛軸用着脱式保護シートの巻き上げ途中の側面図  （ｃ）本発明の実施の形態を示す掛軸用着脱式保護シートの巻緒で止めた外観図  （ｄ）本発明の実施の形態を示す掛軸用着脱式保護シートを収納する保存箱の外観図
【図５】  本発明の他の実施の形態の一例を示す掛軸用着脱式保護シートの単体の外観図
【図６】  本発明の他の実施の形態の一例を示す掛軸用着脱式保護シートの側面図
【発明を実施するための形態】
【００２９】  以下、本発明の実施の形態を図１〜図６に基づいて説明する。
図１においては、保護シート１の上部の一辺に掛軸２の八双３に対向する桟４を設け、桟４に掛緒５ａを取り付けて、掛軸用着脱式保護シート６を容易に着脱可能にし、垂直状態にある掛軸２の書画作品７の前面に覆うように配置し、掛軸用着脱式保護シート６を挟み込みながら巻き解きを行なうことで着脱は完了する。これにより展示や鑑賞のために掛軸２を解いて掛ける。そして展示や鑑賞した後に、軸種９をもち、掛軸２を巻き上げて収納するという一連の作業の中で、従来のように、掛軸２を水平状態に広げることなく、掛軸２の掛けてあるその場所で、掛軸用着脱式保護シート６の着脱が完了できることが、大きな特徴である。
図１は書画作品７を覆うように配置している、掛軸用着脱式保護シート６の一例を示している。
【００３０】  図２は保護シート１と桟４と掛緒５ａからなる掛軸用着脱式保護シート６の単体の一例を示している。
【００３１】  図３は図１の掛軸用着脱式保護シート６と掛軸２をＡ−Ａ線で切った断面図で掛軸用着脱式保護シート６と掛軸２の配置関係を示す。掛軸２の前面に配置した掛軸用着脱式保護シート６の間に空間８があり、この状態で軸首９を両手で持ち、巻き上げると掛軸２の両端の耳折１０により形成された空間８に掛軸用着脱式保護シート６が巻き込まれ固定（図４参照）される。点線表記の掛軸用着脱式保護シート６は、巻き込まれて掛軸２の裏面にも配置される状態を示している。裏打紙１１は掛軸２の裏面を固定している。
【００３２】  図４（ａ）おいて掛軸用着脱式保護シート６の掛緒５ａと掛軸２の掛緒５ｂを、同じ吊り金具１２に掛けて、掛軸用着脱式保護シート６が書画作品７の前面に保護するように配置している様子を横方向から見た一例を示している。吊り金具１２は壁面１３に固定されている。
【００３３】  図４（ｂ）において掛軸２の軸首９を両手で持ち、掛軸用着脱式保護シート６を挟み込みながら、掛軸２を巻き上げて装着している様子を示している。保護シート１に桟４を設け、掛緒５ａを取り付けることで掛軸２のように、吊り下げができる構造になる。垂直状態のまま掛軸用着脱式保護シート６を挟み込みながら巻き解きを行なうことが可能になり着脱が容易にできる。掛軸用着脱式保護シート６の掛緒５ａは、導電性素材を有するものにすることで、巻き上げる時また、解いて広げる時に発生した静電気や、作業者に帯電していた静電気は吊り金具１２を通して放電される。
【００３４】  図４（ｃ）において掛軸２を巻き上げた後、掛軸用着脱式保護シート６も掛軸２の巻緒１４で結び止めた掛軸２の状態を示している。
【００３５】  図４（ｄ）において掛軸２に付属する保存箱１５を示し、収納された状態を示している。
【００３６】  図５において保護シート１を複数枚重ねた構造により耳折１０で形成された空間８を解消することで、掛軸２を強く握る、巻緒１４を強く結び止めるなど、不適切な取り扱いによる凹みなどの緩和及び防止に有効である。また複数枚重ねた保護シート１同士の間の空間８の空間より多く挟み込むことでクッション性が向上する。保護シート１同士の間の空気層のため摩擦が、より減少して擦れなどの損傷防止の効果が向上した掛軸用着脱式保護シート６の単体の一例を示している。
【００３７】  図６において保護シート１を複数枚重ねた、保護シート１同士の間に空間８がある実施形態を横方向から見た一例を示している。
【００３８】  本発明の掛軸用着脱式保護シート６は擦れなどの損傷が進行した掛軸２だけに対応しているのではなく、表具の新しいものや修理直後の変形のない平らな状態の掛軸２に使用することもできる、巻き解きによる擦れや掛軸２を強く握る、巻緒１４を強く結び止めるなど、不適切な取扱いによる損傷の予防処置としても有効な手段である。
【００３９】  以下、上記構成の動作を説明する。掛軸用着脱式保護シート６は、紙管に巻き込んだ状態で納品されている。掛軸用着脱式保護シート６を解きながら掛軸２の前面に配置し吊り金具１２に重ねて吊り下げる。掛軸用着脱式保護シート６と掛軸２の中心の位置合わせをした後、軸首９を両手で持ち、掛軸用着脱式保護シート６を挟み込みながら巻き上げる。掛軸用着脱式保護シート６は掛軸２の両端の耳折１０の折り返し分により形成された空間８に収まり、空気を巻き込み固定される。巻き上げた後、掛軸２の巻緒１４で結び止めて、掛軸２に付属する保存箱１５に収納する。掛軸用着脱式保護シート６を巻き込んであった紙管は別置する。
【００４０】  展示や鑑賞する場合、掛軸用着脱式保護シート６の取り外しは、逆の工程をたどる。保存箱１５から掛軸２を取り出して、巻緒１４を解いて、同じ吊り金具１２に掛軸２と掛軸用着脱式保護シート６を共に吊り下げる。そして掛軸用着脱式保護シート６は、掛軸用着脱式保護シート６付属している紙管に巻きとり、掛軸２が入っていた保存箱１５に収納する。
【００４１】  以上のように、本実施形態によれば掛軸用着脱式保護シート６の着脱は、掛軸２を掛けた場所で、垂直状態のまま行うため、作業環境に左右されることなく着脱を容易に行うことができる。
【００４２】  掛軸用着脱式保護シート６を掛軸２に挟み込むことにより、擦れや強く握る、巻緒１４を強く結び止めるなどの不適切な取り扱いに、ともなう凹みなどの損傷の緩和及び防止に有効である。
【符号の説明】
【００４３】  １    保護シート
２    掛軸
３    八双
４    桟
５ａ  保護シートの掛緒
５ｂ  掛軸の掛緒
６    掛軸用着脱式保護シート
７    書画作品
８    空間
９    軸首
１０    耳折
１１    裏打紙
１２    吊り金具
１３    壁面
１４    巻緒
１５    保存箱
【要約】
【課題】  掛軸は、展示や鑑賞を繰り返しているうちに湿潤や乾燥の影響をうけ変形してくる。また巻いたままの状態で強く握るなどの不適切な取り扱いのため、折れやシワが発生し、変形した状況下で巻き解きを繰り返すことで、書画作品面と掛軸裏面が接触し、擦れを生じ書画作品を傷め損うことになる。これを防ぐには掛軸に保護シートを挟み込めば良いが、保護シートの着脱作業には掛軸を水平状態にしての作業が必要不可欠であり、作業者の手配、作業台の準備、作業スペース確保、など多くの課題を有していた。
【解決手段】  掛軸の前面を覆う、保護シートの上部一辺に掛軸の八双に対向する桟を設け、桟に掛緒を取り付けて、保護シートを容易に着脱可能にし、垂直状態にある掛軸の書画作品の前面に配置し、保護シートを挟み込みながら巻き解きを行なうことを特徴とする掛軸用着脱式保護シートを提供する。
【選択図】図１【図１】
0005844878.tif 000002
【図２】
0005844878.tif 000003
【図３】
0005844878.tif 000004
【図４】
0005844878.tif 000005
【図５】
0005844878.tif 000006
【図６】
0005844878.tif 000007